(57)【特許請求の範囲】
【請求項１】
電線端末の端子がそれぞれ収容される複数の端子収容室が形成されたインナハウジングと、このインナハウジングが組み付けられると共に、各端子収容室と対向する底壁部に電線挿通孔が形成され、該底壁部の内側の各電線挿通孔に対向する位置に前記端子収容室内をシールする防水ゴム栓が収容されるゴム栓収容凹部が形成されたアウタハウジングと、前記インナハウジングが内側に嵌め込まれると共に、インナハウジングが嵌め込まれた状態で前記アウタハウジングに組み付けられる胴体部を有し、この胴体部の底壁部の電線挿通孔が形成されたスペーサとを備えた防水コネクタであって、
前記防水ゴム栓を前記インナハウジング側に延設して前記スペーサの電線挿通孔内に密着される個別ゴム栓部を設け、この個別ゴム栓部内を挿通して前記電線がインナハウジング内に挿入されていることを特徴とする防水コネクタ。
【請求項２】
請求項１記載の防水コネクタであって、前記防水ゴム栓は、前記ゴム栓収容凹部に収容されるゴム栓部と、前記個別ゴム栓部と、前記ゴム栓部と個別ゴム栓部の間に一体形成され前記スペーサの底壁部と前記ゴム栓収容凹部のインナハウジング側の開口周縁との間で挟持される保持板部とを有することを特徴とする防水コネクタ。
【請求項３】
請求項１又は２記載の防水コネクタであって、前記スペーサの胴体部のインナハウジング嵌め込み側の開口部外周面と相手コネクタとの間に挟持されるパッキン部材を前記アウタハウジングに組み付けたことを特徴とする防水コネクタ。
【発明の詳細な説明】
【０００１】
【発明の属する技術分野】
本発明は、コネクタハウジングと、端子を接続した複数の電線との防水性を向上させた小型で多極の防水コネクタに関する。
【０００２】
【従来の技術】
図５〜図７は本出願人が特願平１０−６００９６号として先に出願した防水コネクタ１を示す。この防水コネクタ１のコネクタハウジング１１は、複数の端子収容室１３を一体形成した合成樹脂製のインナハウジング１２と、このインナハウジング１２を内部に嵌め込む合成樹脂製のアウタハウジング１７と、これらインナハウジング１２とアウタハウジング１７との間に介在され、インナハウジング１２の各端子収容室１３に収容された雌端子（端子）１４を保持する合成樹脂製のスペーサ２８とで構成されている。
【０００３】
図５及び図６に示すように、インナハウジング１２は上下面の後側がそれぞれ開口した箱部１２ａを有していて、中央の水平壁１２ｂと仕切壁を兼ねた上下の各垂直側壁１２ｃとで形成される空間内に上記各端子収容室１３を形成してある。各端子収容室１３内には雌端子１４が収容される。
【０００４】
箱部１２ａの上下面の両側及び中央には、係止爪１５をそれぞれ一体突出形成してあると共に、その両側中央の前端には、フランジ部１６をそれぞれ一体突出形成してある。又、箱部１２ａの前壁の各端子収容室１３に対向する位置には、図示しない相手側コネクタの雄端子が挿通する矩形の挿通孔１２ｄを形成してある。さらに、雌端子１４の箱部１４ａの後部の両側板部には、各一対の圧接刃１４ｂ、１４ｂを折り曲げ形成してある。
【０００５】
図５〜図７に示すように、アウタハウジング１７は略四角筒状の内壁部１７ａと、この内壁部１７ａを内包する略四角筒状の外壁部１７ｂと、これらの内、外壁部１７ａ、１７ｂの後部を連結した底壁部１７ｃとで正面側が開口した二重の箱状となっている。
【０００６】
底壁部１７ｃの中央は厚肉になっていて、その厚肉部の前側の各端子収容室１３に対向する位置には、防水ゴム栓１８が圧入等により収容される大径で断面円形のゴム栓収容凹部１９をそれぞれ形成してあると共に、この厚肉部の後側には電線が貫通する小径で断面円形の電線挿通孔２１を対応するゴム栓収容凹部１９に連通するようにそれぞれ形成してある。
【０００７】
防水ゴム栓１８はゴム栓収容凹部１９に個々に収容されるように独立している。それぞれの防水ゴム栓１８は内、外周面がそれぞれ凹凸状の略円筒状になっていて、内部に電線２０が隙間なく貫通するようになっている。
【０００８】
アウタハウジング１７の内壁部１７ａの上下壁の前両側には、インナハウジング１２の箱部１２ａの上下面の両側の各係止爪１５が係脱される矩形の係止孔２２をそれぞれ形成してある。又、内壁部１７ａの上下壁の前側中央には、後述するスペーサ２８の胴体部２８ａの上下壁の外面側の係止爪３２が係脱される矩形で長尺の係止孔２３をそれぞれ形成してある。
【０００９】
さらに、内壁部１７ａの外面側の奥には、環状ゴムからなる防水パッキン２４を受けるＶ字状のパッキン受け部２５を一体突出形成してある。なお、内壁部１７ａの内面側の前縁の各係止孔２２，２３に対向する位置にはテーパ面２６をそれぞれ形成してある。アウタハウジング１７の外壁部１７ｂの上下壁の前側には、図示しない相手側コネクタの可撓性係止アームが係脱される係止孔２７をそれぞれ形成してある。
【００１０】
図５及び図６に示すように、スペーサ２８はアウタハウジング１７の内壁部１７ａの内面側に嵌合される略四角筒状の胴体部２８ａと、この胴体部２８ａの前端より後方に折れ曲がるように一体形成され、アウタハウジング１７の内壁部１７ａの外面側に嵌合される略四角筒状の鍔部２８ｂと、胴体部２８ａの底壁部２８ｃとで正面側が開口した箱状となっている。
【００１１】
スペーサ２８の胴体部２８ａの内部には、インナハウジング１２の箱部１２ａが嵌合される。この胴体部２８ａの上下壁の内面には、インナハウジング１２の箱部１２ａの後端縁及び各端子収容室１３に収容された雌端子１４の箱部１４ａの後端縁をそれぞれ係止する端子脱落防止用のリブ状の突起２９をそれぞれ一体突出形成してある。
【００１２】
スペーサ２８の胴体部２８ａと鍔部２８ｂとの連結部の前側のインナハウジング１２の各係止爪１５とフランジ部１６とに対向する位置には、切欠部３０，３１をそれぞれ形成してある。この上下側の各切欠部３０，３０のスペーサ２８の胴体部２８ａの上下壁の外面側には、アウタハウジング１７の各係止孔２３に係脱される係止爪３２を一体突出形成してある。
【００１３】
スペーサ２８の鍔部２８ｂの先端部は、アウタハウジング１７への嵌合完了時に、アウタハウジング１７の内壁部１７ａのパッキン受け部２５に係止したパッキン２４を保持するようになっている。
【００１４】
スペーサ２８の底壁部２８ｃのアウタハウジング１７の各電線挿通孔２１に対向する位置には、電線挿通孔３３をそれぞれ形成してある。又、スペーサ２８の底壁部２８ｃは、アウタハウジング１７への嵌合完了時にアウタハウジング１７の底壁部１７ｃの各ゴム栓収容凹部１９に挿入されたゴム栓１８を保持する。
【００１５】
図６及び図７に示すように、アウタハウジング１７の各電線挿通孔２１と各ゴム栓１８及びスペーサ２８の各電線挿通孔３３を貫通した各電線２０は、インナハウジング１２の各端子収容室１３に収容された各雌端子１４の一対の圧接刃１４ｂ、１４ｂの間に圧接接続されると共に、各端子収容室１３と各電線２０とは各ゴム栓１８及びパッキン２４によりそれぞれシールされる。
【００１６】
この防水コネクタ１を組み付けるには、図６に示すようにアウタハウジング１７の各ゴム栓収容凹部１９に、アウタハウジング１７の正面側からそれぞれのゴム栓１８を挿入してセットすると共に、パッキン２４をアウタハウジング１７の内壁部１７ａのパッキン受け部２５に挿入してセットする。
【００１７】
そして、アウタハウジング１７の内壁部１７ａにスペーサ２８の胴体部２８ａを嵌め込み、アウタハウジング１７の係止孔２３にスペーサ２８の胴体部２８ａの係止爪３２を係止させる。この係止により各ゴム栓１８がアウタハウジング１７の底壁部１７ｃに抜け止めされると共に、パッキン２４がスペーサ２８の鍔部２８ｂの先端によって抜け止めされコネクタハウジング１１全体の防水性を一段と向上させることができる
【００１８】
その後、アウタハウジング１７の底壁部１７ｃの各電線挿通孔２１に対して電線２０を外側から挿入して各ゴム栓１８とスペーサ２８の電線挿通孔３３とを貫通させ、インナハウジング１２の各端子収容室１３に収容した雌端子１４の圧接刃１４ｂ、１４ｂに圧接接続させる。
【００１９】
次に、スペーサ２８の胴体部２８ａ内にインナハウジング１２を嵌め込み、アウタハウジング１７の各係止孔２３にインナハウジング１２の箱部１２ａの各係止爪１５を係止させることにより、図７に示すように防水コネクタ１を組み付けが完了する。このような構造の防水コネクタ１では、ゴム栓収容凹部１９内に挿入されたゴム栓１８が電線２０に密着するため、防水性を有したコネクタとすることができる。
【００２０】
【発明が解決しようとする課題】
しかしながら、この構造の防水コネクタ１は振動が大きく伝達されたり、水分が多いなどの使用環境が過酷な場合には、水が防水ゴム栓１８からスペーサ２８を通過してインナハウジング１２内に侵入し易く、防水性が低下する問題を有している。
【００２１】
又、ゴム栓収容凹部１９の一つが傷付いた場合、その傷発生部分から水が防水ゴム栓１８を伝ってスペーサ２８の電線挿通孔３３内に入り込み、この電線挿通孔３３からインナハウジング１２内に侵入する。このため、容易に防水性が破壊される問題を有している。
【００２２】
そこで、本発明は、使用環境が過酷であっても、又、ゴム栓収容凹部が傷付いても、インナハウジング内への水の侵入を確実に防止することができる防水性を高めた構造の防水コネクタを提供することを目的とする。
【００２３】
【課題を解決するための手段】
上記目的を達成するため、請求項１の発明は、電線端末の端子がそれぞれ収容される複数の端子収容室が形成されたインナハウジングと、このインナハウジングが組み付けられると共に、各端子収容室と対向する底壁部に電線挿通孔が形成され、該底壁部の内側の各電線挿通孔に対向する位置に前記端子収容室内をシールする防水ゴム栓が収容されるゴム栓収容凹部が形成されたアウタハウジングと、前記インナハウジングが内側に嵌め込まれると共に、インナハウジングが嵌め込まれた状態で前記アウタハウジングに組み付けられる胴体部を有し、この胴体部の底壁部の電線挿通孔が形成されたスペーサとを備えた防水コネクタであって、前記防水ゴム栓を前記インナハウジング側に延設して前記スペーサの電線挿通孔内に密着される個別ゴム栓部を設け、この個別ゴム栓部内を挿通して前記電線がインナハウジング内に挿入されていることを特徴とする。
【００２４】
この発明では、防水ゴム栓の個別ゴム栓部がスペーサの電線挿通孔内にまで延びてスペーサの電線挿通孔内に密着するため、スペーサの電線挿通孔内が確実に防水された状態となる。このため、使用環境が過酷であったり、アウタハウジングのゴム栓収容凹部が傷付いても、スペーサ内に嵌め込まれているインナハウジング内まで水が侵入することがなく、信頼性の高い防水性を有したものとすることができる。
【００２５】
請求項２の発明は、請求項１記載の発明であって、前記防水ゴム栓は、前記ゴム栓収容凹部に収容されるゴム栓部と、前記個別ゴム栓部と、前記ゴム栓部と個別ゴム栓部の間に一体形成され前記スペーサの底壁部と前記ゴム栓収容凹部のインナハウジング側の開口周縁との間で挟持される保持板部とを有することを特徴とする。
【００２６】
この発明では、ゴム栓部及び個別ゴム栓部に一体形成された保持板部をスペーサの底壁部とゴム栓収容凹部のインナハウジング側の開口周縁との間で挟持することにより、防水ゴム栓の全体が固定される。従って、防水ゴム栓を個々にゴム栓収容凹部に挿入する必要がなく、挿入作業を簡素化できると共に、短時間で挿入することができる。又、保持板部はスペーサとアウタハウジングとによって挟持されることにより、ゴム栓収容凹部とインナハウジングの端子収容室とをシールするため、端子収容室への水の侵入を確実に防止することができる。このため、防水性が向上する。
【００２７】
請求項３の発明は、請求項１又は２記載の発明であって、前記スペーサの胴体部のインナハウジング嵌め込み側の開口部外周面と相手コネクタとの間に挟持されるパッキン部材を前記アウタハウジングに組み付けたことを特徴とする。
【００２８】
この発明では、相手コネクタを嵌合することにより、パッキン部材がスペーサの開口部外周面に外側から密着する。このためスペーサとアウタハウジングとの隙間から水が侵入することがなく、防水性をさらに高めることができる。
【００２９】
【発明の実施の形態】
図１は本発明の一実施形態の組み付け時の断面図、図２は組み付け完了時の断面図、図３は防水ゴム栓の斜視図あり、上述した図５〜図７と同一の要素は同一の符号を付して対応させてある。又、この実施形態では、防水を行う部分以外は図５〜図７と同様な構造となっており、このため、図示しない共通の部分は図５〜図７に付した符号によって説明する。
【００３０】
図１に示すように、この実施形態の防止コネクタ２のコネクタハウジング３は、複数の端子収容室１３を有したインナハウジング１２と、このインナハウジング１２を内部に嵌め込むアウタハウジング１７と、これらのインナハウジング１２とアウタハウジング１７との間に介在されるスペーサ２８とを備えている。これらのインナハウジング１２，アウタハウジング１７及びスペーサ２８は合成樹脂によって成形される。
【００３１】
インナハウジング１２の端子収容室１３には、雌端子（端子）１４が収容される。この端子収容室１３は図５に示すように、相手コネクタ４の雄端子が挿通する挿通孔１２ｄを形成した箱部１２ａの前壁と、中央の水平壁１２ｄと、仕切壁を兼ねた上下の垂直側壁１２ｃとで形成された空間部分に設けられている。
【００３２】
スペーサ２８はインナハウジング１２が嵌め込まれた状態でアウタハウジング１７の内壁部４５に嵌め込まれる略四角筒状の胴体部４０を有している。この胴体部４０の前面部分はインナハウジング１２が嵌合するように開口されていると共に、この開口部４１の外面は外側に段状に高くなって突出する開口部外周面４２となっている。この開口部外周面４２はアウタハウジング１７の内壁部４５の前側の端面４５ａに当接するものである。
【００３３】
スペーサ２８の胴体部４０における開口部４１と反対側は底壁部４３によって封鎖されており、この底壁部４３には電線挿通孔４４が形成されている。この電線挿通孔４４は電線２０が挿通された後述する防水ゴム栓５の個別ゴム栓部５０が密着挿入されるように大径に形成してある。
【００３４】
アウタハウジング１７は略四角筒状の内壁部４５と、この内壁部４５を内包する略四角筒状の外壁部４６とを備え、前面部分が開口された二重の箱状となっており、内壁部４５内にスペーサ２８の胴体部４０が嵌め込まれる。
【００３５】
アウタハウジング１７の内壁部４５の後端部は底壁部４７によって封鎖されている。この底壁部４７の各端子収容室１３に対向する位置には、大径で断面円形のゴム栓収容凹部４８をそれぞれ形成してある。又、底壁部４７には、各ゴム栓収容凹部４８と連通する小径で断面円形の電線挿通孔４９を形成してある。
【００３６】
又、底壁部４７のインナハウジング１２側の面におけるゴム栓収容凹部４８形成部分の周囲は、幅広の開口周縁４７ａとなっており、この開口周縁４７ａに防水ゴム栓５の保持板部５２が当接する。
【００３７】
アウタハウジング１７の外壁部４６は内壁部４５と所定の隙間５６を有しており、この隙間５６内に相手コネクタ（雄コネクタ）４の先端が挿入される。又、外壁部４６と内壁部４５との間には、環状のパッキン部材５７が取り付けられている。
【００３８】
環状のパッキン部材５７は内壁部４５の外面に沿った状態で外壁部４６に挟み込まれ、この挟み込み状態で溶着、接着する等によってアウタハウジング１７に固定されている。このパッキン部材５７は内壁部４５の外面に沿って密着していると共に、内壁部４５の前端よりも前側に延びた延設部５７ａを有しており、この延設部５７ａがスペーサ２８の開口部外周面４２に密着する。
【００３９】
防水ゴム栓５は図１及び図３に示すように、板状の保持板部５２と、保持板部５２の一方の面に突出状に一体形成された複数のゴム栓部５１と、保持板部５２の他方の面に突出状に一体形成された複数の個別ゴム栓部５０とを備え、全体が絶縁性ゴムによって成形されている。保持板部５２両側の複数のゴム栓部５１及び個別ゴム栓部５０はそれぞれ対向しており、対向しているゴム栓部５１，個別ゴム栓部５０及び保持板部５２には、電線２０が貫通する電線貫通孔５３が形成されている。
【００４０】
複数のゴム栓部５１はアウタハウジング１７に形成されている複数のゴム栓収容凹部４８のそれぞれに対向し、対向したゴム栓収容凹部４８内に密着状態で収容される。又、複数の個別ゴム栓部５０は保持板部５２からインナハウジング１２側に延設されており、スペーサ２８の電線挿通孔４４に挿入され密着状態で電線挿通孔４４に収容される。これらの密着を行うため、ゴム栓部５１及び個別ゴム栓部５０は図３に示すように、凹凸状となっている。
【００４１】
防水ゴム栓５の保持板部５２はゴム栓部５１及び個別ゴム栓部５０の形成部位よりも外側に延びる挟持片部５４を有している。そして、この挟持片部５４がアウタハウジング１７の底壁部４７に形成した開口周縁４７ａに当接し、この当接状態でスペーサ２８がアウタハウジング１７に挿入されることにより、スペーサ２８の底壁部４３と開口周縁４７ａとによって挟持片部５４が挟持される。
【００４２】
この実施形態の保持板部５２は、アウタハウジング１７の内壁部４５と略同等の長さ及び幅を有するように成形されており、挟持片部５４がスペーサ２８の底壁部４３とアウタハウジング１７の開口周縁４７ａとによって挟持されることにより、全てのゴム栓収容凹部４８及びスペーサ２８の全て電線挿通孔４４を覆うようになっている。これにより、保持板部５２はゴム栓収容凹部４８とインナハウジング１２の端子収容室１３とを完全に仕切ってシールすることができる。
【００４３】
この実施形態の防水コネクタ２を組み付ける場合、従来と同様にアウタハウジング１７の底壁部４７の各電線挿通孔４９に外側から電線２０を貫通させる。そして、各電線２０の先端をスペーサ２８の電線挿通孔４４に貫通させて、インナハウジング１２の端子収容室１３に収容してある雌端子１４の一対の圧接刃１４ｂに圧接させて接続する。
【００４４】
その後、防水ゴム栓５をアウタハウジング１７の内壁部４５内に挿入する。この挿入はゴム栓部５１側から行って保持板部５２を開口周縁４７ａに当接させる。複数のゴム栓部５１は保持板部５２に一体形成されており、保持板部５２の開口周縁４７ａへの当接により、全てのゴム栓部５１は対応したゴム栓収容凹部４８内に同時に挿入されて収容される。従って、個々独立している防水ゴム栓をそれぞれにゴム栓収容凹部４８に挿入させる必要がなく、防水ゴム栓の組み付けが簡単となる。
【００４５】
次に、スペーサ２８をアウタハウジング１７の内壁部４５内に嵌め込む。このとき、防水ゴム栓５の複数の個別ゴム栓部５０はスペーサ２８の底壁部４３に形成した各電線挿通孔４４にそれぞれ挿入されて収容される。この複数の個別ゴム栓部５０も保持板部５２に一体形成されており、全ての個別ゴム栓部５０は対応した電線挿通孔４４内に同時に挿入されて収容される。従って、ゴム栓部５１と同様に、個別ゴム栓部５０を個々に電線挿通孔４４に挿入させる必要がなく、挿入を簡単に行うことができる。
【００４６】
スペーサ２８を内壁部４５内に完全に嵌め込んだ状態では、スペーサ２８の底壁部４３とアウタハウジング１７の開口周縁４７ａとによって保持板部５２が挟持されて固定される。このため、防水コネクタ５が抜け出ることがなくなり、安定して固定される。このとき、防水ゴム栓５の保持板部５２はインナハウジング１２の端子収容室１３をアウタハウジング１７のゴム栓収容凹部４８から遮断してシールする。
【００４７】
又、スペーサ２８の開口部外周面４２はアウタハウジング１７に組み付けられているパッキン部材５７の延設部５７ａ内に嵌合し、これにより、パッキン部材５７が開口部外周面４２に密着する。このため、スペーサ２８とアウタハウジング１７の内壁部４５との当接面がシールされる。
【００４８】
その後、インナハウジング１２をスペーサ２８の胴体部４０内に嵌め込むことにより、図２に示すように組み付けが完了する。この組み付け完了後、相手コネクタ４の先端部をアウタハウジング１７の外壁部４６に挿入して組み付けることにより、相手コネクタ４との接続が行われる。このとき、パッキン部材５７は相手コネクタとスペーサ２８の開口部外周面４２との間に挟持されてこれらに密着する。
【００４９】
このような実施形態では、防水ゴム栓５の個別ゴム栓部５０がスペーサ２８の電線挿通孔４４内にまで延びて電線挿通孔４４内に密着するため、スペーサ２８の電線挿通孔４４内が確実に防水された状態となる。このため、使用環境が過酷であったり、アウタハウジング１７のゴム栓収容凹部４８が傷付いても、スペーサ２８内に嵌め込まれているインナハウジング１２内まで水が侵入することがなく、信頼性の高い防水性を有したものとすることができる。
【００５０】
又、ゴム栓部５１及び個別ゴム栓部５０に一体形成された保持板部５２をスペーサ２８の底壁部４３とゴム栓収容凹部４８の開口周縁４７ａとの間で挟持することにより、防水ゴム栓５の全体を固定することができる。このとき、複数のゴム栓部５１をゴム栓収容凹部４８に同時に挿入することができると共に、複数の個別ゴム栓部５０もスペーサ２８の電線収容孔４４に同時に挿入することができる。このため、防水ゴム栓５の取り付けを簡単に行うことができる。
【００５１】
しかも、保持板部５２はスペーサ２８とアウタハウジング１７とによって挟持されることにより、ゴム栓収容凹部４８とインナハウジング１２の端子収容室１３とをシールするため、端子収容室１３への水の侵入を確実に防止することができる。
【００５２】
又、この実施形態では、相手コネクタ４をアウタハウジング１７に嵌合することにより、パッキン部材５７がスペーサ２８の開口部外周面４２に外側から密着する。このためスペーサ２８とアウタハウジング１７との隙間から水が侵入することがなく、防水性をさらに高めることができる。
【００５３】
図４は本発明の別の実施形態における防水ゴム栓６を示す。この防水ゴム栓６は全体が長くなっており、電線貫通孔５３が長さ方向に貫通している。そして、長さ方向における一側がアウタハウジング１７の底壁部４７に形成したゴム栓収容凹部４８に密着状態で挿入されるゴム栓部５１となっており、他側がスペーサ２８の底壁部４３に形成した電線挿通孔４４に密着状態で挿入される個別ゴム栓部５０となっている。
【００５４】
この構造の防水ゴム栓６は電線貫通孔５３に電線２０を貫通させた状態で、一側のゴム栓部５１をアウタハウジング１７のゴム栓収容凹部４８にそれぞれ挿入して密着させる。そして、この状態でスペーサ２８をアウタハウジング１７の内壁部４５に嵌め込むことにより、他側の個別ゴム栓部５０がスペーサ２８の電線挿通孔４４にそれぞれ挿入されて密着する。
【００５５】
このような防水ゴム栓６はアウタハウジング１７のゴム栓収容凹部４８と、スペーサ２８の電線挿通孔４４とにかけて挿入されるため、アウタハウジング１７からスペーサ２８内のインナハウジング１２の端子収容室１３までを長くシールすることができる。このため、過酷な使用環境であっても、又、ゴム栓収容凹部４８が傷付いても、スペーサ２８内に嵌め込まれているインナハウジング１２内まで水が侵入することがなくなり、同様に信頼性の高い防水性を有したものとすることができる。
【００５６】
なお、本発明は上記実施形態に限定されることなく種々変更が可能であり、例えば、パッキン部材５７を省いても良く、端子としては圧接によって電線と接続されるものに限らず、圧着によって電線と接続されるものであっても良い。
【００５７】
【発明の効果】
以上説明したように、請求項１の発明によれば、防水ゴム栓の個別ゴム栓部がスペーサの電線挿通孔内にまで延びてスペーサの電線挿通孔内に密着するため、スペーサの電線挿通孔内が確実に防水された状態となり、使用環境が過酷であったり、アウタハウジングのゴム栓収容凹部が傷付いても、スペーサ内に嵌め込まれているインナハウジング内まで水が侵入することがなく、信頼性の高い防水性を確保することができる。
【００５８】
請求項２の発明によれば、ゴム栓部及び個別ゴム栓部に一体形成された保持板部をスペーサの底壁部とゴム栓収容凹部のインナハウジング側の開口周縁との間で挟持することにより防水ゴム栓の全体が固定されるため、防水ゴム栓の取り付け作業を簡素化できる。又、保持板部はスペーサとアウタハウジングとによって挟持されることにより、ゴム栓収容凹部とインナハウジングの端子収容室とをシールするため、端子収容室への水の侵入を確実に防止することができ、防水性が向上する。
【００５９】
請求項３の発明によれば、相手コネクタを嵌合することにより、パッキン部材がスペーサの開口部外周面に外側から密着するため、スペーサとアウタハウジングとの隙間から水が侵入することがなく、防水性を高めることができる。
【図面の簡単な説明】
【図１】本発明の一実施形態の防水コネクタを示す組み付け途中の断面図である。
【図２】本発明の一実施形態の防水コネクタを示す組み付け完了時の断面図である。
【図３】防水ゴム栓の斜視図である。
【図４】別の実施形態の防水ゴム栓の斜視図である。
【図５】従来の防水コネクタの分解斜視図である。
【図６】従来の防水コネクタの組み付け途中を示す断面図である。
【図７】従来の防水コネクタの組み付け状態を示す断面図である。
【符号の説明】
２  防水コネクタ
３  コネクタハウジング
４  相手コネクタ
５  ６  防水ゴム栓
１２  インナハウジング
１３  端子収容室
１４  端子
１７  アウタハウジング
２８  スペーサ
４０  胴体部
４２  開口外周部
４３  底壁部
４４  電線挿通孔
４５  内壁部
４６  外壁部
４７  底壁部
４７ａ  開口周縁
４８  ゴム栓収容凹部
４９  電線挿通孔
５０  個別ゴム栓部
５１  ゴム栓部
５２  保持板部
５７  パッキン部材
【図１】
0003540164.tif 000002
【図２】
0003540164.tif 000003
【図３】
0003540164.tif 000004
【図４】
0003540164.tif 000005
【図５】
0003540164.tif 000006
【図６】
0003540164.tif 000007
【図７】
0003540164.tif 000008